(57)【特許請求の範囲】
【請求項１】
原稿を載置するコンタクトガラスと、該コンタクトガラス面に載置された前記原稿の画像を光学的に読み取る画像読取手段と、該コンタクトガラス面上の前記原稿を定置させる原稿保持手段と、該原稿保持手段によって定置された前記原稿を取り出す原稿取出手段と、を備えた画像読取装置であって、
前記原稿保持手段には、前記原稿を出し入れ自在に収容すると共に内底部に前記コンタクトガラス面を露出させた原稿装着用の開口部が貫通形成されており、
前記原稿取出手段は、前記原稿と先端部で接触することにより、前記開口部内の前記コンタクトガラス面に載置された前記原稿を該コンタクトガラス面から浮上させる浮上部材を備えていることを特徴とする画像読取装置。
【請求項２】
前記浮上部材の先端部に、前記コンタクトガラス面を傷つけることがない緩衝部材を備えていることを特徴とする請求項１記載の画像読取装置。
【請求項３】
前記緩衝部材は、少なくとも前記原稿の取り出し時において、前記コンタクトガラスに当接して弾性変形した状態で、該コンタクトガラス面と前記原稿との間に進入するように構成されていることを特徴とする請求項２記載の画像読取装置。
【請求項４】
前記緩衝部材の少なくとも下面が原稿読み取り時における白基準色であることを特徴とする請求項２又は３記載の画像読取装置。
【請求項５】
前記緩衝部材が透明であることを特徴とする請求項２又は３記載の画像読取装置。
【請求項６】
前記浮上部材は前記原稿保持手段によって浮上方向へ回動自在に支持されており、浮上方向に回動したときに前記原稿を前記コンタクトガラス面から浮上させるように構成されていることを特徴とする請求項１乃至５の何れか一項記載の画像読取装置。
【請求項７】
前記浮上部材は、その先端部に前記コンタクトガラス面に対して傾斜する傾斜面を備えるとともに、前記先端部を前記コンタクトガラス面と前記原稿との隙間に出し入れ自在に構成されており、前記先端部が前記隙間内に進入したときに前記原稿が前記傾斜面に沿って浮上するように構成されていることを特徴とする請求項１乃至５の何れか一項記載の画像読取装置。
【請求項８】
前記原稿取出手段は、前記浮上部材を前記原稿と前記コンタクトガラスとの間に進入しない退避位置に付勢する弾性付勢部材を備えていることを特徴とする請求項１乃至７の何れか一項記載の画像読取装置。
【請求項９】
前記浮上部材は、自重により前記原稿と前記コンタクトガラスとの間に進入しない退避位置に戻るように構成されていることを特徴とする請求項６記載の画像読取装置。
【請求項１０】
前記原稿保持手段は、前記コンタクトガラス面を開閉する圧板であることを特徴とする請求項１乃至９の何れか一項記載の画像読取装置。
【請求項１１】
前記原稿保持手段は、前記コンタクトガラス面上に固定配置された原稿押さえ部材であることを特徴とする請求項１乃至９の何れか一項記載の画像読取装置。
【請求項１２】
請求項１乃至１１の何れか一項記載の画像読取装置を備えたことを特徴とする画像形成装置。
【発明の詳細な説明】
【技術分野】
【０００１】
本発明は、ＩＤカードや免許証、クレジットカード等の原稿画像を光学的に読み取るための開口部を備えた画像読取装置に関し、特に、この開口部内にセットされた原稿を容易に取り出すことのできる画像読取装置及びこれを備えた画像形成装置に関する。
【背景技術】
【０００２】
原稿を載置するコンタクトガラスと、原稿をコンタクトガラス面上に定置させる圧板等の原稿保持手段と、コンタクトガラス面に載置された原稿の画像を光学的に読み取る画像読取手段と、を備えた画像読取装置において、カード型の原稿をコンタクトガラス面上の定位置に載置するための開口部を原稿保持手段に備えた画像読取装置が知られている。
例えば、特許文献１には、定型原稿画像とは別の付加原稿読み取り専用の開口部を備えたオーバレイ装置（原稿保持手段）が記載されている。このオーバレイ装置は、コンタクトガラス上に載置される板状の装置であり、定型原稿画像が記載された原稿面と、原稿面の一部に形成されて定型原稿画像に付加する画像が記載された付加原稿をセットする開口部と、を備えている。原稿面を下向きにしてコンタクトガラス上にオーバレイ装置を載置し、オーバレイ装置の開口部内に付加原稿をセットして、画像読取手段により画像を読み取ることにより、定型原稿画像と付加原稿の内容とを一度に読み取ることができる。
【発明の概要】
【発明が解決しようとする課題】
【０００３】
特許文献１記載のオーバレイ装置は板状で厚みがある上、開口部内にセットされた付加原稿がコンタクトガラスに密着する。従って、開口部と付加原稿の大きさが略同じ場合、原稿を開口部上方から指でつまんで取り出すことは困難である。もちろん、オーバレイ装置をコンタクトガラスから浮上させれば付加原稿を容易に取り出すことはできるが、付加原稿を取り出すたびにオーバレイ装置を持ち上げなければならず、作業性が悪いという問題がある。
本発明は、上述の事情に鑑みてなされたものであり、圧板等の原稿保持手段をコンタクトガラスから浮上させることなく、原稿保持手段の開口部内にセットされた原稿を容易に取り出すことのできる画像読取装置を提供することを目的とする。
【課題を解決するための手段】
【０００４】
上記の課題を解決するために、請求項１に記載の発明は、原稿を載置するコンタクトガラスと、該コンタクトガラス面に載置された前記原稿の画像を光学的に読み取る画像読取手段と、該コンタクトガラス面上の前記原稿を定置させる原稿保持手段と、該原稿保持手段によって定置された前記原稿を取り出す原稿取出手段と、を備えた画像読取装置であって、前記原稿保持手段には、前記原稿を出し入れ自在に収容すると共に内底部に前記コンタクトガラス面を露出させた原稿装着用の開口部が貫通形成されており、前記原稿取出手段は、前記原稿と先端部で接触することにより、前記開口部内の前記コンタクトガラス面に載置された前記原稿を該コンタクトガラス面から浮上させる浮上部材を備えていることを特徴とする。
請求項１の発明では、原稿取出手段を操作して、原稿とコンタクトガラス面との間、及び原稿と開口部壁面との間に隙間を作る。
請求項１の発明では、浮上部材の先端部が原稿の適所に接触しながら、原稿をコンタクトガラス面から浮上させる。
【０００５】
請求項２に記載の発明は、前記浮上部材の先端部に、前記コンタクトガラス面を傷つけることがない緩衝部材を備えていることを特徴とする。
請求項２の発明では、緩衝部材がコンタクトガラス面と接触するようにして、コンタクトガラス面を傷つけないようにする。
請求項３に記載の発明は、前記緩衝部材は、少なくとも前記原稿の取り出し時において、前記コンタクトガラスに当接して弾性変形した状態で、該コンタクトガラス面と前記原稿との間に進入するように構成されていることを特徴とする。
請求項３の発明では、進入時における緩衝部材とコンタクトガラス面との角度を小さくすることができる。
請求項４に記載の発明は、前記緩衝部材の少なくとも下面が原稿読み取り時における白基準色であることを特徴とする。
請求項４の発明では、緩衝部材が原稿画像とともに読み取られても、読み取り画像に黒色の縁を出現させにくくすることができる。
【０００６】
請求項５に記載の発明は、前記緩衝部材が透明であることを特徴とする。
請求項５の発明では、緩衝部材が原稿画像とともに読み取られても、原稿画像の情報が欠落しない。
請求項６に記載の発明は、前記浮上部材は前記原稿保持手段によって浮上方向へ回動自在に支持されており、浮上方向に回動したときに前記原稿を前記コンタクトガラス面から浮上させるように構成されていることを特徴とする。
請求項６の発明では、浮上部材の回動動作に合わせて原稿が移動し、コンタクトガラス面から浮上する。
請求項７に記載の発明は、前記浮上部材は、その先端部に前記コンタクトガラス面に対して傾斜する傾斜面を備えるとともに、前記先端部を前記コンタクトガラス面と前記原稿との隙間に出し入れ自在に構成されており、前記先端部が前記隙間内に進入したときに前記原稿が前記傾斜面に沿って浮上するように構成されていることを特徴とする。
請求項７の発明では、浮上部材の傾斜面によってコンタクトガラス面から浮上する。
【０００７】
請求項８に記載の発明は、前記原稿取出手段は、前記浮上部材を前記原稿と前記コンタクトガラスとの間に進入しない退避位置に付勢する弾性付勢部材を備えていることを特徴とする。
請求項８の発明では、原稿取り出し後に浮上部材を退避位置に戻す必要がない。
請求項９に記載の発明は、自重により前記原稿と前記コンタクトガラスとの間に進入しない退避位置に戻るように構成されていることを特徴とする。
請求項９の発明では、原稿取り出し後に浮上部材を退避位置に戻す必要がない。
請求項１０に記載の発明は、前記原稿保持手段は、前記コンタクトガラス面を開閉する圧板であることを特徴とする。
請求項１０の発明では、開閉自在な圧板に形成された開口部内の原稿を取り出しやすい。
【０００８】
請求項１１に記載の発明は、前記原稿保持手段は、前記コンタクトガラス面上に固定配置された原稿押さえ部材であることを特徴とする。
請求項１１の発明では、コンタクトガラス面上に固定配置された原稿押さえ部材に形成された開口部内の原稿を取り出しやすい。
請求項１２に記載の発明は、請求項１乃至１１の何れか一項記載の画像読取装置を備えた画像形成装置を特徴とする。
請求項１２の画像形成装置は、請求項１乃至１１の画像読取装置と同様の効果を奏する。
【発明の効果】
【０００９】
本発明によれば、開口部内のコンタクトガラス面に載置された原稿を、原稿取出手段によりコンタクトガラス面から浮上させることができるので、原稿を容易に取り出すことができる。
【図面の簡単な説明】
【００１０】
【図１】原稿載置用の開口部を圧板（原稿保持手段）に備えた画像読取装置の正面側断面図である。
【図２】第一の実施形態に係る原稿取出手段を備えた原稿読取装置を示した斜視図である。
【図３】第一の実施形態に係る原稿取出手段（退避位置）を示した図２のＸ−Ｘ断面図である。
【図４】第一の実施形態に係る原稿取出手段（原稿取出位置）を示した図２のＸ−Ｘ断面図である。
【図５】第二の実施形態に係る原稿取出手段（退避位置）を示した断面図である。
【図６】第三の実施形態に係る原稿取出手段（退避位置）を示した断面図である。
【図７】第三の実施形態に係る原稿取出手段（原稿取出位置）を示した断面図である。
【図８】第四の実施形態に係る原稿取出手段（退避位置）を示した断面図である。
【図９】開口部部分を拡大して示した断面図である。
【図１０】図９の矢印Ｆ方向から開口部周辺を観察した図である。
【図１１】第五の実施形態に係る原稿取出手段（退避位置）を示した断面図である。
【図１２】第六の実施形態に係る原稿取出手段（退避位置）を示した断面図である。
【図１３】デジタル複写機の概略構成図である。
【発明を実施するための形態】
【００１１】
以下、本発明の実施形態を詳細に説明する。本発明に係る画像読取装置は、コンタクトガラス面に載置された原稿を所定の位置に定置させる原稿保持手段に、カード等の原稿を出し入れ自在に収容するとともにコンタクトガラス面を露出させる開口部を備え、この開口部内のコンタクトガラス面に載置された原稿をコンタクトガラス面から浮上させる原稿取出手段を備えた点に特徴がある。
まず、本発明が適用される画像読取装置の基本的な構成について図１に基づいて説明する。図１は、原稿載置用の開口部を圧板（原稿保持手段）に備えた画像読取装置の正面側断面図である。
画像読取装置Ｓは、原稿をスリットガラス７２に向けて自動的に搬送する自動原稿搬送装置（以下、単に「ＡＤＦ」という。）７６と、ＡＤＦ７６の下方に配置されたスリットガラス７２及びコンタクトガラス７３と、スリットガラス７２及びコンタクトガラス７３の下方に配置されて原稿画像を光学的に読み取る画像読取手段７０と、を備えている。
ＡＤＦ７６は、画像読取手段７０の上部に配置され、図１の紙面に対して紙面と直交する方向奥側に、図中左右側に設けられたヒンジ（不図示）を介して画像読取手段７０と一体的かつ回動自在に連結されており、紙面直交方向手前側から持ち上げることにより、スリットガラス７２及びコンタクトガラス７３に対して開閉自在に構成されている。
ＡＤＦ７６は、その上部に、複数の原稿からなる原稿束Ｏを載置する原稿載置台７９を備えている。原稿束Ｏの搬送方向下流側には、原稿束Ｏに当接・離隔可能に構成され、原稿を搬送経路内に給紙する呼び出しコロ８０を備えている。
呼び出しコロ８０によって給紙された原稿は、さらに下流側に配置された分離ベルト８１とこれに当接する分離阻止コロ８２によって１枚ずつ分離され、給送される。
【００１２】
分離ベルト８１は、駆動コロ８５と従動コロ８６とによって掛け回されており、分離ベルト８１は分離阻止コロ８２に対して所定の角度及び加圧力にて当接している。従動コロ８６は、スプリング９０によって分離ベルト８１を外周面側に押圧する方向に弾性付勢されており、スプリング９０の付勢力によって分離ベルト８１には一定の張力が付与されている。駆動コロ８５とその軸８５ａとの間には、駆動コロ８５の回転方向を図中時計回り方向に制限するワンウェイクラッチ９１が内蔵されている。
分離阻止コロ８２は分離ベルト８１と当接しつつ、図中時計回り方向に回転する。そして、分離ベルト８１と分離阻止コロ８２との間に給紙された複数の原稿から最上位に位置する原稿のみが分離されて、さらに下流側へと搬送される。
分離ベルト８１及び分離阻止コロ８２によって分離された原稿は、第一搬送コロ９３（駆動コロ）及び従動コロ９４に挟持されつつ、原稿面が下になるように反転経路９５に沿って反転・搬送される。原稿は、反転ガイド９８を通過してスリットガラス７２に搬送された後、反転排紙ガイド９９によって排紙経路１００にすくい上げられるようにして搬送される。また、スリットガラス７２上には反射ガイド板１０１が設けられており、この反射ガイド板１０１は読取時の白基準を構成している。
そして、排紙経路１００に搬送された原稿は、第二搬送コロ１０２（駆動コロ）及び従動コロ１０３に挟持されて搬送された後、排紙コロ１０４（駆動コロ）及び従動コロ１０５に挟持されて排紙経路１００からＡＤＦ７６の外部である外装カバー１０７上に排紙される。
【００１３】
ＡＤＦ７６の下面には、コンタクトガラス７３上に載置された原稿をコンタクトガラス７３に押圧する圧板７７が配置されている。圧板７７は、コンタクトガラス７３の表面を覆っており、原稿読み取り時の白基準となる反射板としての役割も果たしている。
また、ＡＤＦ７６には、カード等の原稿を出し入れ自在に収容すると共に内底部においてコンタクトガラス７３を露出させた原稿装着用の開口部１０が貫通形成されている。開口部１０は、図中右端部側、すなわち副走査方向終端部側のコンタクトガラス７３の表面を露出させるように開口されている。
なお、圧板７７は本発明における「原稿保持手段」を構成している。ここで原稿保持手段は、ＡＤＦ７６に装着された圧板７７のみならず、ＡＤＦと一体化されていない圧板単体、ＡＤＦ自体を含む概念である。また、原稿保持手段がコンタクトガラス面を開閉自在とするように構成されていてもよいし、コンタクトガラス面上に固定配置された原稿押さえ部材であってもよい。固定的とは、画像読取装置上部の筐体上に固定されていることである。また、画像読取装置がカード類専用の画像読取装置であってもよい。
【００１４】
画像読取手段７０は、露光ランプ７４と第一ミラー７５等を備えている。本発明に係る画像読取装置Ｓは、コンタクトガラス７３に載置された原稿（通常原稿）を読み取る第一読取モードと、開口部１０からコンタクトガラス７３に載置されたカード類等の原稿読み取る第二読取モードと、ＡＤＦ７６に載置された原稿の画像を搬送の過程でスリットガラス７２を介して読み取る第三読取モードと、３種類の原稿読み取りモードを備えている。
露光ランプ７４と第一ミラー７５は、第一読取モードの場合、図１中、Ｂの位置から右側（副走査方向）へ移動し、第二読取モードの場合はＣの位置から右側へ、すなわち開口部１０部分を副走査方向へ移動し、第三読取モードの場合はＡの位置（スリットガラス７２の直下）にて停止する。そして、露光ランプ７４によって原稿画像を読み取った後、この反射光を公知のように第一ミラー７５及び図示しないレンズを介してＣＣＤ等の結像素子に結像する。
【００１５】
〔第一の実施形態〕
本発明の第一の実施形態に係る原稿取出手段について、図２乃至４に基づいて説明する。図２は、第一の実施形態に係る原稿取出手段を備えた原稿読取装置を示した斜視図である。図３は、原稿取出手段（退避位置）を示した図２のＸ−Ｘ断面図である。図４は、原稿取出手段（原稿取出位置）を示した図２のＸ−Ｘ断面図である。本実施形態に係る画像読取装置は、開口部からコンタクトガラス上に載置された原稿を、コンタクトガラス面から浮上させて取り出しやすくする原稿取出手段を備えた点に特徴がある。
開口部１０は、ＡＤＦ７６の図中右側且つ前面側に配置されており、内部に載置されるカード等の原稿の大きさに合わせて開口されている。開口部１０には、例えば免許証、健康保険証やＩＤカード等のカード状の原稿を載置することができる。
開口部１０の一側面には、開口部１０に連続して凹部１１が形成されており、凹部１１内には本実施形態に係るレバー１３（原稿取出手段）が、配置されている。また、開口部１０の他の側面には、開口部１０に連続して原稿取出用凹部１２が形成されている。
【００１６】
レバー１３は、先端部に原稿１を浮上させる爪状の浮上部材１４と、後端部にレバー１３を回動させるための押圧部１５（操作部）と、を備えている。また、中間部に位置する回動軸１６においてＡＤＦ７６に回動自在に軸支されている。そして、押圧部１５を押圧していない状態においては、浮上部材１４が自重により下方に下がるように構成されている。
浮上部材１４は、原稿１がコンタクトガラス７３に載置されている状態において、原稿１とコンタクトガラス７３との間に進入していない位置（退避位置）にある（図３）。
【００１７】
図４に示すように、押圧部１５を図中矢印Ｄ方向（浮上方向）に押圧すると、浮上部材１４の先端が原稿１の端部１ａと接触する。浮上部材１４は原稿１とコンタクトガラス７３との間に進入し、原稿１をコンタクトガラス７３から浮上させる（原稿取出位置）。なお、原稿１の端部は、浮上部材１４と接触した後、浮上部材１４の上面をすべりながら徐々に浮上する。
すると、原稿１の端部１ａと開口部１０の側面１０ａとの隙間Ｅが広がるので、操作者は、開口部１０の上方、又は原稿取出用凹部１２から原稿１の端部をつまみ上げて取り出すことができる。
また、押圧部１５への押圧を解除することで、レバー１３は、その自重により押圧時とは反対の方向（図中反時計回り方向）に回動して、退避位置に戻る。
以上のように、本実施形態によれば、開口部内のコンタクトガラス面に載置された原稿を、原稿取出手段によりコンタクトガラス面から浮上させることができるので、原稿を容易に取り出すことができる。
【００１８】
〔第二の実施形態〕
本発明の第二の実施形態について、図５に基づいて説明する。図５は、第二の実施形態に係る原稿取出手段（退避位置）を示した断面図である。本実施形態に係る原稿取出手段は、浮上部材を退避位置に弾性付勢する付勢部材を備えた点に特徴がある。以下、第一の実施形態と同一の部材には同一の符号を付してその説明を省略する。
図示するレバー１７（原稿取出手段）の浮上部材１４側には、バネ１８（弾性付勢部材）の一端部側が固定され、バネ１８の他端部側はＡＤＦ７６に固定されており、浮上部材１４が退避位置方向に弾性付勢されている。このバネ１８の付勢力に対抗する力にて押圧部１５を矢印Ｄ方向に押圧することにより、第一の実施形態と同様に、原稿１を開口部１０から取り出すことができる。また、押圧部１５への押圧を解除した場合には、バネ１８の付勢力により、浮上部材１４が退避位置に戻る（図５）。
このような構成とすることで、原稿１を取り出した後、浮上部材１４が確実に退避位置に戻るので、浮上部材１４がコンタクトガラス７３の上方に位置している状態で次の原稿が載置される虞がなくなる。
なお、バネ１８の代わりに、他の弾性材料、例えば板バネやゴム等を用いてもよい。また、浮上部材を退避位置に付勢することができれば、回動軸１６にねじりコイルバネを配置して付勢する等、他の付勢方法を用いてもよい。
【００１９】
〔第三の実施形態〕
本発明の第三の実施形態について、図６及び図７に基づいて説明する。図６は、第三の実施形態に係る原稿取出手段（退避位置）を示した断面図である。図７は、第三の実施形態に係る原稿取出手段（原稿取出位置）を示した断面図である。本実施形態に係る原稿取出手段は、浮上部材の先端部にコンタクトガラス面を傷つけないようにする緩衝部材を備えた点に特徴がある。以下、第一及び第二の実施形態と同一の部材には同一の符号を付してその説明を省略する。
レバー１９（原稿取出手段）は、浮上部材１４の先端部に薄板状のシート部材２０（緩衝部材）を備えている。シート部材２０は、退避位置にあるとき、及び原稿１を浮上させる際に、その先端部がコンタクトガラス７３に当接する。従って、シート部材２０を柔軟性や弾力性のある素材から構成したり、コンタクトガラス７３と接触するシート部材２０の角部を面取り加工してＲ形状としたりして、当接時にコンタクトガラス７３を傷つけないように構成する。また、原稿１を浮上させるときに、シート部材２０が下方に湾曲して原稿１を落下させない程度の材質（例えばマイラなど薄い樹脂）や硬度とする。
【００２０】
以上のように、本実施形態によれば、浮上部材の先端部に緩衝部材を備えたので、コンタクトガラス面を傷つけることがない。また、シート部材が薄板状であるので、原稿取出時に原稿とコンタクトガラスとの間に容易に進入することができ、原稿を浮上させやすくなる。
なお、本実施形態に係るレバーに第二の実施形態の弾性付勢部材を備えた構成としてもよい。
【００２１】
〔第四の実施形態〕
本発明の第四の実施形態について図８に基づいて説明する。図８は、第四の実施形態に係る原稿取出手段（退避位置）を示した断面図である。本実施形態に係る原稿取出手段は、シート部材（緩衝部材）を弾力性のある素材から構成した点に特徴がある。以下、第一乃至第三の実施形態と同一の部材には同一の符号を付してその説明を省略する。
レバー２１の先端部に取り付けられたシート部材２２は弾力性を有しており、図示するように、退避位置にあるときに先端部がコンタクトガラス７３と当接して弾性変形するように構成されている。このとき、シート部材２２の先端部とコンタクトガラス７３の間に形成される角度θ１と、シート部材２２の後端部側とコンタクトガラス７３の間に形成される角度θ２との間には、θ１＜θ２の関係がある。
この状態から押圧部１５を矢印Ｄ方向に押圧すると、シート部材２２が変形前の形状に少しずつ戻りながらコンタクトガラス７３の表面に沿って滑り、原稿１とコンタクトガラス７３と間に進入する。このように、シート部材２２が弾性変形した状態で原稿１とコンタクトガラス７３との間に進入するので、第一乃至第三の実施形態に比べて、シート部材２２の進入時に、その先端部とコンタクトガラス７３との角度がより小さい状態となる。従って、原稿１を、より容易に浮上させることができる。
なお、本実施形態に係るレバーに第二の実施形態の弾性付勢部材を備えた構成としてもよい。
【００２２】
〔開口部、原稿、及び原稿取出部材の関係について〕
ここで、開口部、原稿、及び原稿取出部材の関係について説明する。図９は、開口部部分を拡大して示した断面図である。図１０は、図９の矢印Ｆ方向から開口部周辺を観察した図である。
図１０に示すように、開口部１０を介して読み取る原稿１の大きさとして設定された寸法（規格寸法等）をＬ１×Ｌ２、開口部１０の大きさをＬ３×Ｌ４とすると、原稿１寸法のバラツキを吸収するため、開口部１０には原稿１の大きさに対して所定の隙間Ｌａ、Ｌｂ（余裕分）を設ける必要がある。また、図９に示すように、支点１ｂを中心として原稿１を回転させてコンタクトガラス７３から浮上させることから、隙間Ｌａについては、支点１ｂから最も離れた原稿１の端点１ｃの軌跡Ｆを考慮し、原稿１の回転時に端点１ｃが側面１０ａと当接しないように決定する。
【００２３】
ここで、隙間Ｌａ、Ｌｂの部分は、コンタクトガラス７３側から見ると、基本的に光を反射しない部分であるため、画像を読み取ったときに黒色として認識される。一方で、圧板７７は白色であることから、原稿１を読み取った画像の周囲に黒い縁が現れることとなる。
そこで、黒い縁の出現を極力少なくするために、少なくともコンタクトガラス７３と対抗する浮上部材１４の下面を、圧板７７と同色の白色、言い換えれば原稿読取時における白基準色とすることが望ましい。
【００２４】
また、シート部材２２についても同様に、少なくともコンタクトガラス７３と対抗する下面を、圧板７７と同色の白色、言い換えれば原稿読取時における白基準色とするか、又は、シート部材２２自体を無色透明とすることが望ましい。シート部材２２を白色とした場合には、圧板７７と浮上部材１４の色とも同色になることから、読み取り後の画像から原稿１の画像のみを切り分ける処理（画像処理等）が容易となる。また、シート部材２２を無色透明とした場合には、露光ランプ７４（図１参照）からの光がシート部材２２を透過するため、シート部材２２が読み取り画像に写り込みにくいという特徴を有する。仮に、原稿１の下部にシート部材２２が進入したまま画像の読み取りが行われた場合であっても、原稿１の画像情報を欠落させることなく画像の読み取りを行うことができる。従って、余裕をもってシート部材２２の長さＬ７を設定することができる。
さらに、シート部材２２及び浮上部材１４は、レバー２１の動作に伴って回動する部材であるため、開口部１０の長さＬ４と、シート部材２２の長さＬ５（又は浮上部材１４の長さＬ６）との間に、シート部材２２及び浮上部材１４の回動動作をスムーズにするための所定の隙間Ｌｃ（遊び）を設ける必要がある。しかしながら、隙間Ｌｃを大きくすると読み取り画像に発生する黒色の縁が大きくなり、読み取り画像の質が低下するという問題がある。従って、隙間Ｌｃについては、シート部材２２及び浮上部材１４の回動動作を妨げず、かつ黒色の縁が極力出現しないように決定する。
以上、第四の実施形態に係る各部材を基礎として説明したが、上記事項は、他の実施形態の開口部、浮上部材及びシート部材にも同様に当てはまる。
【００２５】
〔第五の実施形態〕
本発明の第五の実施形態について図１１に基づいて説明する。図１１は、第五の実施形態に係る原稿取出手段（退避位置）を示した断面図である。本実施形態に係る原稿取出手段は、浮上部材がコンタクトガラス面に沿ってスライド移動する点に特徴がある。以下、第一乃至第四の実施形態と同一の部材には同一の符号を付してその説明を省略する。
レバー２３（原稿取出手段）は、先端部に原稿１と接触して原稿１を浮上させる浮上部材２４と、後端部に浮上部材２４を原稿１に対して出没自在に移動させる操作部２５と、を備えている。
浮上部材２４は、原稿１に向かって突出したときに、原稿１とコンタクトガラス７３と間に進入してコンタクトガラス７３から浮上させる楔状の部材であり、先端部から後部側に向かってコンタクトガラス７３からの距離が増大するように構成された傾斜面２４ａを有している。また、浮上部材２４の先端部には、シート部材２２が固定されている。なお、シート部材２２の代わりにシート部材２０を備えてもよいし、シート部材自体を備えない構成としてもよい。シート部材２２は、その先端部がコンタクトガラス７３に接触して弾性変形しており、レバー２３の出没に伴ってコンタクトガラス７３表面に沿って摺動する。
操作部２５を矢印Ｇ方向に移動させると、原稿１の端点１ｃ（図９参照）とコンタクトガラス７３との間に形成されたわずかな間隙内にシート部材２２が進入し、さらに浮上部材２４の先端が進入する。原稿１は、傾斜面２４ａに沿って滑り上がり、コンタクトガラス７３から浮上する。従って、本実施形態においても操作者は容易に原稿の端部をつまみ上げて取り出すことができる。
なお、原稿を取り出した後は、レバー２３を退避位置に戻すことで、次の原稿を載置することができる。
【００２６】
〔第六の実施形態〕
本発明の第六の実施形態について図１２に基づいて説明する。図１２は、第六の実施形態に係る原稿取出手段（退避位置）を示した断面図である。本実施形態に係る原稿取出手段は、浮上部材を退避位置に弾性付勢する付勢部材を備えた点に特徴があり、第二の実施形態に類似する構成である。以下、第一乃至第五の実施形態と同一の部材には同一の符号を付してその説明を省略する。
本実施形態に係るレバー２６の後端部側には、バネ２７（弾性付勢部材）が配置されている。バネ２７は、操作部２５と外装カバー１０７との間のレバー２６の軸部２８に遊嵌されており、浮上部材２４を退避位置方向に弾性付勢している。バネ２７の付勢力に対抗する力にて操作部２５を矢印Ｇ方向に押圧することで、原稿１をコンタクトガラス７３から浮上させることができる。また、操作部２５への押圧を解除した場合には、バネ２７の付勢力により、浮上部材２４が退避位置に戻る。もちろん、バネ２７以外の弾性材料や、他の態様の付勢方法を用いてもよいことは言うまでもない。
以上のように、本実施形態によれば、第二の実施形態と同様に、原稿を取り出した後、浮上部材が確実に退避位置に戻るので、浮上部材がコンタクトガラスの上方に位置している状態で次の原稿が載置される虞がなくなる。
【００２７】
〔画像形成装置〕
以上説明した本発明に係る画像読取装置は、複写機やＦＡＸ、或いはこれらの機能を複合的に備えた画像形成装置に適用可能である。以下、複写機について簡単に説明する。
図１３は、デジタル複写機の概略構成図である。複写機１１０は、ＡＤＦ７６及び画像読取手段７０を備えた画像読取装置Ｓと、画像読取装置Ｓによって読み取られた原稿画像を転写紙に画像形成する画像形成手段１２０とを備えている。画像読取装置Ｓは、本発明に係る原稿取出手段を備えている。
画像形成手段１２０は、転写紙を積載する第１トレイ２０８、第２トレイ２０９及び第３トレイ２１０と、夫々のトレイに積載された転写紙を給送する第１給紙ユニット２１１、第２給紙ユニット２１２、及び第３給紙ユニット２１３と、を備えている。各給紙ユニットよって給送された転写紙は、さらに縦搬送ユニット２１４によって感光体２１５に当接する位置まで搬送される。
画像読取手段７０によって読み取られた原稿の画像データは、書き込みユニット２５７からのレーザによって感光体２１５に書き込まれ、現像ユニット２２７を通過することによってトナー像が形成される。そして、転写紙は感光体２１５の回転と等速で搬送ベルト２１６によって搬送されながら、感光体２１５上のトナー像が転写される。その後、定着ユニット２１７にて画像を定着させ、排紙ユニット２１８に搬送された後、排紙トレイ２１９に排紙される。
【符号の説明】
【００２８】
１…原稿、１ａ…端縁、１ｂ…支点、１ｃ…端部、１０…開口部、１０ａ…側面、１１…凹部、１２…原稿取出用凹部、１３…レバー、１４…浮上部材、１５…押圧部、１６…回動軸、１７…レバー、１８…バネ、１９…レバー、２０…シート部材、２１…レバー、２２…シート部材、２３…レバー、２４…浮上部材、２４ａ…傾斜面、２５…操作部、２６…レバー、２７…バネ、２８…軸部、７０…画像読取手段、７２…スリットガラス、７３…コンタクトガラス、７４…露光ランプ、７５…第一ミラー、７６…ＡＤＦ、７７…圧板、７９…原稿載置台、８０…コロ、８１…分離ベルト、８２…分離阻止コロ、８５…駆動コロ、８５ａ…軸、８６…従動コロ、９０…スプリング、９１…ワンウェイクラッチ、９３…第一搬送コロ、９４…従動コロ、９５…反転経路、９８…反転ガイド、９９…反転排紙ガイド、１００…排紙経路、１０１…反射ガイド板、１０２…第二搬送コロ、１０３…従動コロ、１０４…排紙コロ、１０５…従動コロ、１０７…外装カバー
【先行技術文献】
【特許文献】
【００２９】
【特許文献１】特開平８−２３４６２２号公報
【図１】
0005685945.tif 000002
【図２】
0005685945.tif 000003
【図３】
0005685945.tif 000004
【図４】
0005685945.tif 000005
【図５】
0005685945.tif 000006
【図６】
0005685945.tif 000007
【図７】
0005685945.tif 000008
【図８】
0005685945.tif 000009
【図９】
0005685945.tif 000010
【図１０】
0005685945.tif 000011
【図１１】
0005685945.tif 000012
【図１２】
0005685945.tif 000013
【図１３】
0005685945.tif 000014